(57)【特許請求の範囲】
【請求項１】
リム部と、
前記リム部の外周部に設けられた壁パネル載置面と、
前記リム部の上面と、前記壁パネル載置面と、を繋ぐリム外側面と、
を有する浴槽と、
前記壁パネル載置面に載置された第１の壁パネルと、
前記浴槽のコーナ部を間に挟み前記第１の壁パネルと接合された第２の壁パネルと、
前記リム外側面に付設されたシール剤受け部と、
前記浴槽のコーナ部に設けられ、止水性を確保可能なシール剤が前記第１の壁パネルと前記第２の壁パネルとの間を通過し前記シール剤受け部から漏出することを堰き止めるシール剤漏出防止部と、
を備え、
前記第１の壁パネルおよび前記第２の壁パネルが前記シール剤受け部と接触し、前記シール剤受け部の上方において前記シール剤を貯留可能なシール剤溜め部が形成されたことを特徴とする浴室ユニット。  
【請求項２】
前記シール剤漏出防止部は、前記浴槽のコーナ部において前記リム部の上面と前記壁パネル載置面との間に挿入されたコーナピースを有し、
前記シール剤溜め部は、前記壁パネルと前記コーナピースとが互いに接触しつつ前記シール剤受け部と接触することにより形成されたことを特徴とする請求項１記載の浴室ユニット。
【請求項３】
前記コーナピースが設けられる浴室のコーナ部に取り付けられた接合部材固定具と、
前記接合部材固定具に固定され前記壁パネル載置面に前記壁パネルを立設させる接合部材と、
をさらに備え、
前記コーナピースは、前記浴槽と前記接合部材固定具との間に挿入され、前記接合部材固定具から力を受けて前記シール剤受け部と接触可能とされたことを特徴とする請求項２記載の浴室ユニット。
【請求項４】
前記コーナピースは、基体を有し、
前記基体には、
前記浴槽のコーナ部のリム外側面に押し当てられる第１の面と、
前記接合部材固定具に押し当てられる第２の面と、
前記第１の面と前記第２の面との間に前記壁パネルの側端部が挿入される壁パネル挿入部と、
が形成されたことを特徴とする請求項３記載の浴室ユニット。
【請求項５】
前記浴室のコーナ部に取り付けられた接合部材固定具と、
前記接合部材固定具に固定され前記壁パネル載置面に前記壁パネルを立設させる接合部材と、
をさらに備え、
前記シール剤漏出防止部は、前記浴槽のコーナ部の前記リム外側面から前記接合部材固定具へ向けて延在するように前記浴槽と一体形成されてなる、または前記接合部材固定具から前記浴槽のコーナ部へ向けて延在するように前記接合部材固定具と一体形成されてなることを特徴とする請求項１記載の浴室ユニット。
【請求項６】
前記リム部は、長辺側リム部と、長手方向の長さが前記長辺側リム部の長手方向の長さよりも短い短辺側リム部と、を含み、
前記長辺側リム部の両端部の高さは、前記長辺側リム部の中央部の高さよりもそれぞれ高いことを特徴とする請求項１〜５のいずれか１つの記載の浴室ユニット。
【発明の詳細な説明】
【技術分野】
【０００１】
本発明の態様は、一般的に、浴室ユニットに関する。
【背景技術】
【０００２】
浴室ユニットの意匠性を高めるために、例えば浴槽の長辺側のリム部の両端部が中央部よりも高い形状を有する浴槽が望まれている。本発明者の検討の結果、浴槽の長辺側のリム部を傾斜させたり、湾曲させたり、弓形状にしたり、階段状にしたりすることで、浴槽の長辺側のリム部の両端部を中央部よりも高くすることは可能である。
【０００３】
浴室ユニットに用いられる浴槽のうちで、浴室の壁パネルを載置させる面が浴槽のリム部の外周に設けられた浴槽がある。このとき、浴槽のリム部の高さが全周にわたって略一定である場合には、浴槽の長辺側に配置された壁パネルと、浴槽の短辺側に配置された壁パネルと、の合わせ位置にシリコン（シール剤）を塗布したり目地材を取り付けることで、浴槽のコーナ部すなわち浴室のコーナ部における止水性を確保することができる。
【０００４】
すなわち、浴室のコーナ部は、壁パネル同士の接合部である。そのため、壁パネル同士の間に隙間が生ずる。これに対して、壁パネル同士の間の隙間をシリコンや目地材で埋めることにより止水性を確保することができる。これは、浴槽のリム部と、浴室の壁パネルを載置させる面と、の段差が比較的低い場合において可能である。
【０００５】
しかしながら、例えば浴槽の長辺側のリム部の両端部が中央部よりも高い場合のように、浴槽のリム部と、浴室の壁パネルを載置させる面と、の段差が比較的高い場合には、壁パネル同士の間の隙間をシリコンで埋めたり、壁パネル同士の間の隙間に目地材を取り付けることは容易ではない。
【先行技術文献】
【特許文献】
【０００６】
【特許文献１】実公平１−３９３２８号公報
【発明の概要】
【発明が解決しようとする課題】
【０００７】
本発明は、かかる課題の認識に基づいてなされたものであり、浴室のコーナ部における止水性をより確実に確保することができる浴室ユニットを提供することを目的とする。
【課題を解決するための手段】
【０００８】
第１の発明は、リム部と、前記リム部の外周部に設けられた壁パネル載置面と、前記リム部の上面と、前記壁パネル載置面と、を繋ぐリム外側面と、を有する浴槽と、前記壁パネル載置面に載置された第１の壁パネルと、前記浴槽のコーナ部を間に挟み前記第１の壁パネルと接合された第２の壁パネルと、前記リム外側面に付設されたシール剤受け部と、前記浴槽のコーナ部に設けられ、止水性を確保可能なシール剤が前記第１の壁パネルと前記第２の壁パネルとの間を通過し前記シール剤受け部から漏出することを堰き止めるシール剤漏出防止部と、を備え、前記第１の壁パネルおよび前記第２の壁パネルが前記シール剤受け部と接触し、前記シール剤受け部の上方において前記シール剤を貯留可能なシール剤溜め部が形成されたことを特徴とする浴室ユニットである。
【０００９】
この浴室ユニットによれば、浴槽が設けられた浴室のコーナ部の第１の壁パネルと第２の壁パネルとの接合部において、止水性を確保可能なシール剤が第１の壁パネルと第２の壁パネルとの間を通過しシール剤受け部から下方へ漏れることを抑えるシール剤漏出防止部が設けられている。これにより、第１の壁パネルと第２の壁パネルとの間に隙間が形成される浴室ユニットのコーナ部をより確実に止水することができる。  
また、これにより、浴槽の意匠の自由度を向上させることができ、多様な意匠の浴槽を有する浴室ユニットを提供することができる。
【００１０】
また、第２の発明は、第１の発明において、前記シール剤漏出防止部は、前記浴槽のコーナ部において前記リム部の上面と前記壁パネル載置面との間に挿入されたコーナピースを有し、前記シール剤溜め部は、前記壁パネルと前記コーナピースとが互いに接触しつつ前記シール剤受け部と接触することにより形成されたことを特徴とする浴室ユニットである。
【００１１】
この浴室ユニットによれば、浴槽のコーナ部においてリム部の上面と壁パネル載置面との間にコーナピースが挿入されている。そして、壁パネルとコーナピースとが互いに接触しつつシール剤受け部と接触することにより、シール剤受け部の上方にシール剤溜め部が形成されている。これにより、シール剤溜め部は、浴槽のリム外側面に途切れることなく形成される。そのため、浴室ユニットのコーナ部における止水性をより確実に確保することができる。
【００１２】
また、第３の発明は、第２の発明において、前記コーナピースが設けられる浴室のコーナ部に取り付けられた接合部材固定具と、前記接合部材固定具に固定され前記壁パネル載置面に前記壁パネルを立設させる接合部材と、をさらに備え、前記コーナピースは、前記浴槽と前記接合部材固定具との間に挿入され、前記接合部材固定具から力を受けて前記シール剤受け部と接触可能とされたことを特徴とする浴室ユニットである。
【００１３】
この浴室ユニットによれば、コーナピースは、接合部材固定具から力を受けてシール剤受け部と接触可能とされている。そのため、コーナピースを固定するための特別な部材は、不要である。これにより、より簡略化された構造やより低減されたコストで浴室ユニットの止水構造を実現することができる。
【００１４】
また、第４の発明は、第３の発明において、前記コーナピースは、基体を有し、前記基体には、前記浴槽のコーナ部のリム外側面に押し当てられる第１の面と、前記接合部材固定具に押し当てられる第２の面と、前記第１の面と前記第２の面との間に前記壁パネルの側端部が挿入される壁パネル挿入部と、が形成されたことを特徴とする浴室ユニットである。
【００１５】
この浴室ユニットによれば、コーナピースは、接合部材固定具からの力を第２の面で直接的に受ける。そのため、コーナピースを固定するための特別な部材は、不要である。これにより、より簡略化された構造やより低減されたコストで浴室ユニットの止水構造を実現することができる。
【００１６】
また、第５の発明は、第１の発明において、前記浴室のコーナ部に取り付けられた接合部材固定具と、前記接合部材固定具に固定され前記壁パネル載置面に前記壁パネルを立設させる接合部材と、をさらに備え、前記シール剤漏出防止部は、前記浴槽のコーナ部の前記リム外側面から前記接合部材固定具へ向けて延在するように前記浴槽と一体形成されてなる、または前記接合部材固定具から前記浴槽のコーナ部へ向けて延在するように前記接合部材固定具と一体形成されてなることを特徴とする浴室ユニットである。
【００１７】
この浴室ユニットによれば、シール剤漏出防止部が浴槽または接合部材固定具と一体化されているため、作業者がシール剤漏出防止部の設置を忘れることを防止することができる。これにより、施工ミスによる止水不良をより確実に防ぐことができる。
【００１８】
また、第６の発明は、第１〜第５のいずれか１つの発明において、前記リム部は、長辺側リム部と、長手方向の長さが前記長辺側リム部の長手方向の長さよりも短い短辺側リム部と、を含み、前記長辺側リム部の両端部の高さは、前記長辺側リム部の中央部の高さよりもそれぞれ高いことを特徴とする浴室ユニットである。
【００１９】
この浴室ユニットによれば、浴槽の長辺側リム部の両端部の高さは、浴槽の長辺側リム部の中央部の高さよりもそれぞれ高い。そのため、浴槽の長辺側リム部の両端部をヘッドレストとして利用することができる。また、浴槽の長辺側リム部に設けられたシール部に溜まった水は、浴槽の長辺側リム部中央部に集まり浴槽内に戻りやすい。そのため、水が浴槽のコーナ部に残り難い。これにより、浴室ユニットの清掃の手間を軽減することができる。
【発明の効果】
【００２０】
本発明の態様によれば、浴室のコーナ部における止水性をより確実に確保することができる浴室ユニットが提供される。
【図面の簡単な説明】
【００２１】
【図１】本発明の実施の形態にかかる浴室ユニットを表す斜視模式図である。
【図２】本実施形態にかかる浴室ユニットを表す側面模式図である。
【図３】本実施形態にかかる浴室ユニットのコーナ部を表す斜視模式図である。
【図４】本実施形態にかかる浴室ユニットのコーナ部を表す平面模式図である。
【図５】図４に表した切断面Ａ−Ａにおける断面模式図である。
【図６】本実施形態にかかる浴室ユニットのコーナ部を表す斜視模式図である。
【図７】本実施形態にかかる浴室ユニットのコーナ部を表す斜視模式図である。
【図８】本実施形態のコーナピースの具体例を例示する斜視模式図である。
【図９】本実施形態のコーナピースの他の具体例を説明するための斜視模式図である。
【図１０】本実施形態のコーナピースの他の具体例を説明するための平面模式図である。
【図１１】本実施形態のコーナピースの他の具体例を例示する斜視模式図である。
【図１２】本実施形態のシール剤漏出防止部の他の具体例を説明するための斜視模式図である。
【図１３】本実施形態のシール剤漏出防止部のさらに他の具体例を説明するための斜視模式図である。
【図１４】本実施形態のシール剤漏出防止部のさらに他の具体例を説明するための斜視模式図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかる浴室ユニットを表す斜視模式図である。  
図２は、本実施形態にかかる浴室ユニットを表す側面模式図である。  
なお、図２は、本実施形態にかかる浴室ユニットを図１に表した矢印Ａ１の方向にみたときの側面模式図である。
【００２３】
図１に表した浴室ユニット１０は、架台１００と、洗い場床２００と、浴槽３００と、エプロン４００と、壁パネル５００と、を備える。  
架台１００は、下部に設けられた支持脚１１０を有し、図示しない建物床の上に載置されている。洗い場床２００は、架台１００の上に設置されている。エプロン４００は、洗い場床２００と浴槽３００との間に設置され、浴槽３００の側面を覆っている。つまり、エプロン４００は、洗い場床２００と浴槽３００との間に形成される開口を塞ぐように取り付けられている。
【００２４】
浴槽３００は、架台１００の上に設置され、洗い場床２００の側方に配置されている。図１に表したように、浴槽３００の長辺側リム部３１０ｂの両端部は、浴槽３００の長辺側リム部３１０ｂの中央部よりも高い。具体的には、浴槽３００の長辺側リム部３１０ｂは、両端部が中央部よりも高い弓形の形状を有する。但し、浴槽３００の長辺側リム部３１０ｂの形状は、これだけに限定されるわけではない。例えば、浴槽３００の長辺側リム部３１０ｂは、両端部が中央部よりも高い傾斜部や湾曲部や段差部などを有していてもよい。
【００２５】
これによれば、浴槽３００の長辺側リム部３１０ｂの両端部をヘッドレストとして利用することができる。また、浴槽３００の長辺側リム部３１０ｂに設けられたシール部に溜まった水は、浴槽３００の長辺側リム部３１０ｂの中央部に集まり浴槽３００内に戻りやすい。そのため、水が浴槽３００のコーナ部に残り難い。これにより、浴室ユニット１０の清掃の手間を軽減することができる。
【００２６】
図１および図２に表したように、壁パネル５００は、浴槽３００のリム部３１０の外周部および洗い場床２００の外周部に設置されている。なお、壁パネル５００の設置数は、図１に表した壁パネル５００の設置数だけに限定されるわけではない。例えば、図１に表した浴室ユニット１０において、浴槽３００の長辺側リム部３１０ｂの外周部には、２つの壁パネル５００が設置されているが、１つの壁パネル５００が設置されていてもよい。また、例えば、図１に表した浴室ユニット１０において、浴槽３００の短辺側リム部３１０ａの外周部には、１つの壁パネル５００が設置されているが、２つの壁パネル５００が設置されていてもよい。
【００２７】
図３は、本実施形態にかかる浴室ユニットのコーナ部を表す斜視模式図である。  
図４は、本実施形態にかかる浴室ユニットのコーナ部を表す平面模式図である。  
図５は、図４に表した切断面Ａ−Ａにおける断面模式図である。  
図６および図７は、本実施形態にかかる浴室ユニットのコーナ部を表す斜視模式図である。
【００２８】
図３および図７は、図１に表した浴室ユニットのコーナ部Ｃ１を拡大して眺めた模式図であり、つまり浴槽３００のコーナ部Ｃ１を拡大して眺めた模式図である。  
図４は、コーナ部Ｃ１を図３に表した矢印Ａ２の方向にみたときの平面模式図である。  図６は、コーナ部Ｃ１を図３に表した矢印Ａ３の方向にみたときの斜視模式図である。  図６および図７に表した浴室ユニットでは、壁パネルを省略している。
【００２９】
図５に表したように、浴槽３００のリム部３１０は、リム上面３１１と、リム外側面３１３と、を有する。また、リム部３１０の外周部には、リム外縁部３１４と、壁パネル載置面３１５と、リム突部３１７と、を有する壁パネル載置部が設けられる。壁パネル載置面３１５は、リム外縁部３１４の上面に形成されている。言い換えれば、リム外縁部３１４の上面が壁パネル載置面３１５として機能する。
【００３０】
リム外側面３１３は、リム上面３１１に接続され、リム上面３１１に対して略直交して設けられている。リム外縁部３１４および壁パネル載置面３１５は、浴槽３００の短辺側リム部３１０ａおよび浴槽３００の長辺側リム部３１０ｂの外周部に設けられている。但し、図１に表したように、リム外縁部３１４および壁パネル載置面３１５は、洗い場床２００の側の長辺側リム部３１０ｂの外周部には設けられていない。
【００３１】
壁パネル載置面３１５は、リム外側面３１３に接続されている。つまり、リム外側面３１３は、リム上面３１１と壁パネル載置面３１５とを繋いでいる。言い換えれば、リム上面３１１と壁パネル載置面３１５との間には、段差が生じている。リム突部３１７は、リム外縁部３１４の外側の端部から上方へ延在している。
【００３２】
ここで、本願明細書において「外側」とは、浴槽の外側であって、水（湯）を溜めて使用者がその中に入ることのできる浴槽の内側からみた外側をいうものとする。一方、本願明細書において、「内側」とは、浴槽の内側であって、水（湯）を溜めて使用者がその中に入ることのできる浴槽の内側をいうものとする。本願明細書において「水」という場合には、冷水のみならず、加熱されたお湯も含むものとする。
【００３３】
壁パネル載置面３１５には、パッキン６４５が設けられている。パッキン６４５は、例えば発泡材やゴムなどにより形成され弾力性を有する。そして、パッキン６４５の上に、壁パネル５００が立設されている。
【００３４】
図３および図４に表したように、浴室ユニット１０のコーナ部Ｃ１においては、浴槽３００の短辺側の壁パネル載置面３１５に載置された短辺側壁パネル５００ａと、浴槽３００の長辺側の壁パネル載置面３１５に載置された長辺側壁パネル５００ｂと、が互いに略直交して立設されている。短辺側壁パネル５００ａの構造は、長辺側壁パネル５００ｂの構造と同様である。そのため、以下の説明では、短辺側壁パネル５００ａおよび長辺側壁パネル５００ｂを総称して単に壁パネル５００ともいう。
【００３５】
壁パネル５００は、母材５１０と、鋼板５２０と、を有する。母材５１０としては、例えば石膏ボードなどが用いられる。鋼板５２０は、例えば壁パネル５００の全体の補強などのために母材５１０の表面に付設されている。図５に表したように、鋼板５２０は、表面から母材５１０の下端５１１の側に折り曲げられた下端部５２３を有する。
【００３６】
壁パネル５００は、鋼板５２０が母材５１０からみて例えば浴槽３００の側（浴室ユニット１０内の側）に位置する状態でパッキン６４５を介して壁パネル載置面３１５に載置されている。壁パネル５００がパッキン６４５を介して壁パネル載置面３１５に載置された状態では、鋼板５２０の下端部５２３は、パッキン６４５を介してリム外縁部３１４を押圧している。これにより、浴室ユニット１０内の水が、鋼板５２０の下端部５２３と、壁パネル載置面３１５と、の間から壁パネル５００の外側へ漏出することを抑えることができる。また、壁パネル５００の製造工程あるいは浴室ユニット１０の組立作業において生ずる誤差を吸収し、壁パネル５００をより確実に立設することができる。
【００３７】
図６および図７に表したように、リム突部３１７には、例えばねじなどの締結部材６９２（図４参照）により接合部材固定具６１０が固定されている。接合部材固定具６１０の上方部には、例えばねじなどの締結部材６９１（図３および図４参照）により接合部材６２０が固定されている。つまり、接合部材固定具６１０は、接合部材６２０を固定し立設させる。接合部材６２０は、隣接する壁パネル５００同士を連接あるいは接合することができる。そして、接合部材６２０は、壁パネル５００を壁パネル載置面３１５に立設させることができる。
【００３８】
図３および図４に表したように、接合部材６２０は、薄板を折り曲げた中空構造を有する。接合部材６２０は、両端部において折り返された折り返し部６２１をそれぞれ有する。折り返し部６２１は、バネ性を有している。  
壁パネル５００の鋼板５２０は、両端部において裏側（母材５１０の側）へ折り返された折り返し部５２１をそれぞれ有する。鋼板５２０の折り返し部５２１は、接合部材６２０の折り返し部６２１と同様に、バネ性を有している。
【００３９】
短辺側壁パネル５００ａおよび長辺側壁パネル５００ｂを接合部材６２０に取り付けるときには、鋼板５２０の折り返し部５２１を接合部材６２０の両端部の折り返し部６２１の間に嵌め込む。鋼板５２０の折り返し部５２１は、接合部材６２０の両端部の折り返し部６２１の間に嵌め込まれる際には、接合部材６２０の両端部の折り返し部６２１の間を押し広げる。そして、鋼板５２０の折り返し部５２１が嵌め込まれると、短辺側壁パネル５００ａおよび長辺側壁パネル５００ｂは、接合部材６２０を間にして直交する状態で壁パネル載置面３１５に立設される。
【００４０】
短辺側壁パネル５００ａと、長辺側壁パネル５００ｂと、の接合位置（合わせ位置）における隙間５５１の止水性を確保するため、壁パネル５００同士の接合位置の隙間５５１には、例えば図示しない目地材が取り付けられる。浴室ユニット１０のコーナ部Ｃ１において、図示しない目地材は、壁パネル５００同士の接合位置の隙間５５１に嵌め込まれるとともに、リム上面３１１から壁パネル載置面３１５へ向かって挿入される。
【００４１】
しかしながら、浴室ユニット１０のコーナ部Ｃ１において、壁パネル５００同士の接合位置の隙間５５１、および浴槽３００と壁パネル５００との間の隙間は、比較的狭い。そのため、リム上面３１１と壁パネル載置面３１５との段差が比較的高い場合には、目地材を壁パネル載置面３１５まで到達させることは困難である。そうすると、壁パネル載置面３１５と、目地材の下端と、の間に隙間が生ずる。そのため、浴室ユニット１０のコーナ部Ｃ１における止水性を確保できないおそれがある。また、目地材が壁パネル載置面３１５まで到達したか否かを確認することが作業者にとって困難な場合がある。
【００４２】
これに対して、本実施形態にかかる浴室ユニット１０では、図３、図４、図６、および図７に表したように、浴室ユニット１０のコーナ部Ｃ１において、浴槽３００と接合部材固定具６１０との間にコーナピース（シール剤漏出防止部）６３０が設けられている。コーナピース６３０は、パッキン６４５を介して壁パネル載置面３１５に載置され、リム上面３１１の近傍まで延在している。具体的には、コーナピース６３０の上面６３０ａの位置は、リム上面３１１の位置よりも低い。リム上面３１１と、コーナピース６３０の上面６３０ａと、の段差は、例えば約５ミリメートル（ｍｍ）〜１０ｍｍ程度である。
【００４３】
これによれば、浴室ユニット１０のコーナ部Ｃ１において、リム上面３１１から壁パネル載置面３１５へ向かって目地材を挿入し、コーナピース６３０の上面６３０ａまで比較的容易に到達させることができる。つまり、コーナピース６３０の上面６３０ａと、目地材の下端と、の間に隙間が生ずることを抑えることができる。また、目地材がコーナピース６３０の上面６３０ａまで到達したか否かを比較的容易に確認することができる。
【００４４】
コーナピース６３０は、パッキン６３１を有する。パッキン６３１は、例えば発泡材やゴムなどにより形成され弾力性を有する。図４に表したように、壁パネル５００は、接合部材６２０により壁パネル載置面３１５に立設された状態では、コーナピース６３０のパッキン６３１と接触し、コーナピース６３０のパッキン６３１から力を受けている。つまり、コーナピース６３０のパッキン６３１は、壁パネル５００から押され変形している。これにより、コーナピース６３０は、リム外側面３１３の側へ押されている。
【００４５】
また、コーナピース６３０は、浴槽３００と接合部材固定具６１０との間に設けられた状態では、接合部材固定具６１０と接触し接合部材固定具６１０から力を受けている。そして、コーナピース６３０は、リム外側面３１３の側へ押されている。
【００４６】
図５〜図７に表したように、リム上面３１１よりも下方におけるリム外側面３１３には、シール剤受け部６４１が付設されている。シール剤受け部６４１は、例えば発泡材やゴムなどにより形成され弾力性を有する。図６および図７に表したように、シール剤受け部６４１は、例えば帯状を呈し、洗い場床２００に面したリム外側面３１３を除くリム外側面３１３に付設されている。
【００４７】
壁パネル５００は、接合部材６２０により壁パネル載置面３１５に立設された状態では、コーナピース６３０のパッキン６３１と接触しつつシール剤受け部６４１と接触し、シール剤受け部６４１から力を受けている。つまり、シール剤受け部６４１は、壁パネル５００から押され変形している。また、コーナピース６３０は、壁パネル５００および接合部材固定具６１０から力を受けリム外側面３１３の側へ押されているため、シール剤受け部６４１と接触している。このとき、図４、図６、および図７に表したように、コーナ部Ｃ１におけるシール剤受け部６４１は、コーナピース６３０により押し潰されている。
【００４８】
このようにして、図５に表したように、シール剤受け部６４１の上方において例えばシリコンなどのシール剤６４７を貯留可能なシール剤溜め部６４２が形成される。そして、シール剤６４７をシール剤溜め部６４２に塗布することにより、浴槽３００と壁パネル５００との間の止水性を確保することができる。
【００４９】
このとき、前述したように、浴室ユニット１０のコーナ部Ｃ１において、リム上面３１１と壁パネル載置面３１５との間にコーナピース６３０が設けられている。そのため、コーナピース６３０は、リム上面３１１と、壁パネル載置面３１５と、の段差を見かけ上低くすることができる。コーナピース６３０は、シール剤溜め部６４２に塗布されたシール剤６４７を自身の上面６３０ａで受けることで、シール剤６４７がシール剤受け部６４１から下方へ漏れることを抑える（堰き止める）ことができる。これにより、短辺側壁パネル５００ａと、長辺側壁パネル５００ｂと、の接合位置に隙間５５１が形成される浴室ユニット１０のコーナ部Ｃ１をより確実に止水することができる。
【００５０】
前述したように、シール剤受け部６４１は、洗い場床２００に面したリム外側面３１３を除くリム外側面３１３に付設されている。また、コーナピース６３０は、シール剤受け部６４１と接触している。そのため、シール剤溜め部６４２は、短辺側壁パネル５００ａおよび長辺側壁パネル５００ｂが立設されたリム部３１０の外周部に形成される。つまり、シール剤溜め部６４２は、洗い場床２００に面したリム外側面３１３を除くリム外側面３１３に途切れることなく形成される。これにより、浴室ユニット１０のコーナ部Ｃ１における止水性をより確実に確保することができる。
【００５１】
また、コーナピース６３０は、壁パネル５００および接合部材固定具６１０から受ける力により、浴槽３００の側すなわちリム外側面３１３の側へ押されシール剤受け部６４１と接触している。そのため、コーナピース６３０を固定するための特別な部材は、不要である。これにより、より簡略化された構造やより低減されたコストで浴室ユニット１０の止水構造を実現することができる。
【００５２】
次に、本実施形態にかかる浴室ユニット１０の組立手順について説明する。  
まず、架台１００を図示しない建物床の上に設置する。続いて、洗い場床２００を架台１００の上の所定位置に設置する。続いて、浴槽３００を架台１００の上の所定位置、例えば洗い場床２００の側方に設置する。なお、作業性を考慮すると、浴槽３００を架台１００の上に設置する前に、浴槽３００のリム外側面３１３にシール剤受け部６４１を付設させておくことがより好ましい。但し、浴槽３００を架台１００の上に設置した後に、浴槽３００のリム外側面３１３にシール剤受け部６４１に付設させてもよい。
【００５３】
続いて、接合部材固定具６１０を締結部材６９２により浴槽３００のリム突部３１７に固定する。続いて、コーナピース６３０を浴槽３００と接合部材固定具６１０との間に設置する。続いて、接合部材６２０を締結部材６９１により接合部材固定具６１０に固定する。
【００５４】
続いて、壁パネル５００を壁パネル載置面３１５に立設させる。具体的には、短辺側壁パネル５００ａおよび長辺側壁パネル５００ｂを接合部材６２０に取り付ける。このときには、鋼板５２０の折り返し部５２１を接合部材６２０の両端部の折り返し部６２１の間に嵌め込む。これにより、短辺側壁パネル５００ａおよび長辺側壁パネル５００ｂを、接合部材６２０を間にして直交する状態で壁パネル載置面３１５に立設させることができる。
【００５５】
続いて、短辺側壁パネル５００ａと、長辺側壁パネル５００ｂと、の接合位置の隙間５５１に目地材を取り付ける。具体的には、短辺側壁パネル５００ａと、長辺側壁パネル５００ｂと、の接合位置の隙間５５１に目地材を嵌め込むとともに、リム上面３１１から壁パネル載置面３１５へ向かって目地材を挿入する。そして、目地材がコーナピース６３０の上面６３０ａと接触するまで目地材を挿入する。このとき、リム上面３１１と、壁パネル載置面３１５と、の段差は、コーナピース６３０により見かけ上低くなっているため、コーナピース６３０の上面６３０ａと接触するまで目地材を比較的容易に挿入することができる。
【００５６】
続いて、シール剤受け部６４１の上方に形成されたシール剤溜め部６４２に例えばシリコンなどのシール剤６４７を塗布する。シール剤６４７の塗布については、短辺側壁パネル５００ａおよび長辺側壁パネル５００ｂが立設されたリム部３１０の外周部において行う。このとき、コーナピース６３０は、シール剤溜め部６４２に塗布されたシール剤６４７を自身の上面６３０ａで受けることができる。そのため、シール剤６４７がシール剤受け部６４１から下方へ漏れることを抑えることができる。これにより、短辺側壁パネル５００ａと、長辺側壁パネル５００ｂと、の接合位置に隙間５５１が形成される浴室ユニット１０のコーナ部Ｃ１をより確実に止水することができる。
【００５７】
浴室ユニット１０のコーナ部Ｃ１の構造および組立手順は、コーナ部Ｃ１と反対側のコーナ部Ｃ２においても同様である。そのため、浴室ユニット１０のコーナ部Ｃ２に関する説明については省略する。また、以下の説明においても、浴室ユニット１０のコーナ部Ｃ２に関する説明については省略する。
【００５８】
図８は、本実施形態のコーナピースの具体例を例示する斜視模式図である。  
図８に表したコーナピース６３０は、基体６３３と、パッキン６３１と、を有する。基体６３３は、例えば樹脂や金属などにより形成されている。パッキン６３１は、例えば発泡材やゴムなどにより形成され弾力性を有する。
【００５９】
基体６３３には、浴槽３００のコーナ部におけるリム外側面３１３に押し当てられる第１の面６３５と、接合部材固定具６１０に押し当てられる第２の面６３７（図６参照）と、が形成されている。コーナピース６３０を長手方向にみたときに、第１の面６３５は、略Ｌ字型の形状を有する。第２の面６３７が接合部材固定具６１０と接触し、第１の面６３５が浴槽３００のコーナ部におけるリム外側面３１３に押し当てられることで、コーナピース６３０の位置が決まる。つまり、第２の面６３７は、位置決め面として機能する。
【００６０】
また、基体６３３には、第１の面６３５と第２の面６３７との間において、壁パネル５００の側端部すなわち折り返し部５２１が挿入される壁パネル挿入部６３９が形成されている。図８に表したように、パッキン６３１は、壁パネル挿入部６３９の側面の少なくとも一部に付設されている。
【００６１】
図８に表したコーナピース６３０は、接合部材固定具６１０からの力を第２の面６３７で直接的に受けることができる。そのため、コーナピース６３０を固定するための特別な部材は、不要である。これにより、より簡略化された構造やより低減されたコストで浴室ユニット１０の止水構造を実現することができる。
【００６２】
次に、本実施形態のコーナピースの他の具体例について、図面を参照しつつ説明する。  図９は、本実施形態のコーナピースの他の具体例を説明するための斜視模式図である。  図１０は、本実施形態のコーナピースの他の具体例を説明するための平面模式図である。  
図１１は、本実施形態のコーナピースの他の具体例を例示する斜視模式図である。
【００６３】
図９は、浴室ユニットのコーナ部Ｃ１を拡大して眺めた模式図であり、つまり浴槽３００のコーナ部Ｃ１を拡大して眺めた模式図である。  
図１０は、コーナ部Ｃ１を図９に表した矢印Ａ４の方向にみたときの平面模式図である。
【００６４】
まず、本実施形態のコーナピースの他の具体例の構造について、図１１を参照しつつ説明する。  
図１１に表したコーナピース６５０は、基体６５３と、パッキン６５１と、を有する。基体６５３は、例えば樹脂などにより形成されている。パッキン６５１は、例えば発泡材やゴムなどにより形成され弾力性を有する。
【００６５】
パッキン６５１には、浴槽３００のコーナ部におけるリム外側面３１３に押し当てられる接触面６５５が形成されている。基体６５３には、短辺側壁パネル５００ａと、長辺側壁パネル５００ｂと、の接合位置の隙間５５１に嵌合可能な突部６５３ａが形成されている。
【００６６】
図９および図１０に表した浴室ユニット１０のコーナ部は、図３〜図７に関して前述した浴室ユニット１０のコーナ部Ｃ１において、図８に表したコーナピース６３０が図１１に表したコーナピース６５０に置き換えられた構造を有する。その他の構造は、図３〜図７に関して前述した浴室ユニット１０のコーナ部Ｃ１の構造と同様である。
【００６７】
図３〜図７に関して前述した浴室ユニット１０の組立手順のように、図８に表したコーナピース６３０を設置する場合には、壁パネル５００を壁パネル載置面３１５に立設させる前にコーナピース６３０を設置する。  
これに対して、図１１に表したコーナピース６５０を設置する場合には、壁パネル５００を壁パネル載置面３１５に立設させた後にコーナピース６５０を設置する。
【００６８】
まず、架台１００、洗い場床２００、浴槽３００、および接合部材固定具６１０に関する組立手順は、図３〜図７に関して前述した浴室ユニット１０の組立手順と同様である。  続いて、接合部材６２０を締結部材６９１により接合部材固定具６１０に固定する。
【００６９】
続いて、壁パネル５００を壁パネル載置面３１５に立設させる。具体的には、短辺側壁パネル５００ａおよび長辺側壁パネル５００ｂを接合部材６２０に取り付ける。このときには、鋼板５２０の折り返し部５２１を接合部材６２０の両端部の折り返し部６２１の間に嵌め込む。これにより、短辺側壁パネル５００ａおよび長辺側壁パネル５００ｂを、接合部材６２０を間にして直交する状態で壁パネル載置面３１５に立設させることができる。
【００７０】
続いて、図９および図１０に表したように、壁パネル５００同士の接合位置の隙間５５１にコーナピース６５０の突部６５３ａを嵌め込みつつ、浴槽３００のコーナ部におけるリム外側面３１３と、壁パネル５００と、の間にコーナピース６５０の全体を挿入する。このとき、コーナピース６５０の接触面６５５は、浴槽３００のコーナ部におけるリム外側面３１３に押し当てられる。また、浴槽３００のコーナ部におけるシール剤受け部６４１は、コーナピース６５０の接触面６５５により押し潰される。そして、コーナピース６５０の上面６５０ａの位置がリム上面３１１の位置よりも低くなるまで、コーナピース６５０を壁パネル載置面３１５へ向かって挿入する。
【００７１】
続いて、短辺側壁パネル５００ａと、長辺側壁パネル５００ｂと、の接合位置の隙間５５１に目地材を取り付ける。具体的には、短辺側壁パネル５００ａと、長辺側壁パネル５００ｂと、の接合位置の隙間５５１に目地材を嵌め込むとともに、リム上面３１１から壁パネル載置面３１５へ向かって目地材を挿入する。そして、目地材がコーナピース６５０の上面６５０ａと接触するまで目地材を挿入する。このとき、リム上面３１１と、壁パネル載置面３１５と、の段差は、コーナピース６５０により見かけ上低くなっているため、コーナピース６５０の上面６５０ａと接触するまで目地材を比較的容易に挿入することができる。
【００７２】
続いて、シール剤受け部６４１の上方に形成されたシール剤溜め部６４２に例えばシリコンなどのシール剤６４７を塗布する。この組立手順は、図３〜図７に関して前述した浴室ユニット１０の組立手順と同様である。
【００７３】
本具体例によれば、コーナピース６５０は、シール剤溜め部６４２に塗布されたシール剤６４７を自身の上面６５０ａで受けることができる。そのため、シール剤６４７がシール剤受け部６４１から下方へ漏れることを抑えることができる。これにより、短辺側壁パネル５００ａと、長辺側壁パネル５００ｂと、の接合位置に隙間５５１が形成される浴室ユニット１０のコーナ部Ｃ１をより確実に止水することができる。また、コーナピース６５０を接合部材固定具６１０に押し当てる必要がないため、コーナピース６５０の構造をより簡略化あるいは小型化することができる。
【００７４】
次に、本実施形態のシール剤漏出防止部の他の具体例について、図面を参照しつつ説明する。  
図１２は、本実施形態のシール剤漏出防止部の他の具体例を説明するための斜視模式図である。  
なお、図１２は、浴室ユニットのコーナ部Ｃ１を図３に表した矢印Ａ３の方向にみたときの斜視模式図に相当する。
【００７５】
図１２に表したシール剤漏出防止部６８０は、接合部材固定具６１０から浴槽３００のコーナ部へ向けて延在するように接合部材固定具６１０と一体化されている。図１２に表したシール剤漏出防止部６８０の構造は、図３〜図８に関して前述したコーナピース６３０の構造と同様である。例えば、シール剤漏出防止部６８０は、ねじなどの締結部材６９３により接合部材固定具６１０に予め固定されている。シール剤漏出防止部６８０を接合部材固定具６１０に固定する方法は、締結部材６９３を用いる方法だけでなく、例えば接着剤を用いる方法であってもよい。なお、シール剤漏出防止部６８０は、接合部材固定具６１０と一体形成されていてもよい。
【００７６】
本具体例における浴室ユニット１０の組立手順としては、まず、架台１００、洗い場床２００、および浴槽３００に関する組立手順は、図３〜図７に関して前述した浴室ユニット１０の組立手順と同様である。続いて、図１２に表したシール剤漏出防止部６８０を設置する場合には、例えば図１２に表した矢印Ａ５のように、接合部材固定具６１０と一体化された状態でシール剤漏出防止部６８０を設置する。続いて、接合部材６２０、壁パネル５００、および目地材の取り付け、ならびにシール剤６４７の塗布は、図３〜図７に関して前述した浴室ユニット１０の組立手順と同様である。浴室ユニット１０のその他の構造および組立手順は、図３〜図７に関して前述した浴室ユニット１０の構造および組立手順と同様である。
【００７７】
本具体例によれば、作業者がシール剤漏出防止部６８０の設置を忘れることを防止することができる。すなわち、接合部材６２０は、接合部材固定具６１０に固定される部材であるため、作業者は、接合部材固定具６１０を設置しなければ接合部材６２０を設置することができない。そして、作業者は、接合部材６２０を設置しなければ壁パネル５００を立設させることはできない。つまり、作業者は、接合部材固定具６１０を設置しなければ浴室ユニット１０の組立作業を進めることができない。
【００７８】
本具体例では、シール剤漏出防止部６８０は、設置しなければ浴室ユニット１０の組立作業を進めることができない接合部材固定具６１０に予め固定されている。これにより、作業者がシール剤漏出防止部６８０の設置を忘れることを防止することができる。そして、施工ミスによる止水不良を防ぐことができ、浴室ユニット１０のコーナ部Ｃ１をより確実に止水することができる。また、接合部材固定具６１０に予め固定されたシール剤漏出防止部６８０の構造は、図３〜図７および図８に関して前述したコーナピース６３０の構造と同様であるため、図３〜図７および図８に関して前述した効果と同様の効果が得られる。
【００７９】
図１３は、本実施形態のシール剤漏出防止部のさらに他の具体例を説明するための斜視模式図である。  
なお、図１３は、浴室ユニットのコーナ部Ｃ１を図３に表した矢印Ａ３の方向にみたときの斜視模式図に相当する。
【００８０】
図１３に表したシール剤漏出防止部（コーナ突出部）６６０は、浴槽３００のコーナ部から接合部材固定具６１０へ向けて延在するように浴槽３００と一体形成されている。言い換えれば、浴槽３００は、コーナ部から接合部材固定具６１０へ向けて延在するコーナ突出部６６０を有する。壁パネル載置面３１５には、パッキン６４５が設けられている。また、図１３に表したように、シール剤漏出防止部６６０の上面６６０ａと、壁パネル載置面３１５に接続されたシール剤漏出防止部６６０の側面６６０ｂ、６６０ｃと、においてパッキン６４５が設けられている。そのため、シール剤受け部６４１は、浴槽３００のコーナ部において途切れており、短辺側リム部３１０ａのリム外側面３１３に付設された部分と、長辺側リム部３１０ｂのリム外側面３１３に付設された部分と、に分割されている。
【００８１】
本具体例における浴室ユニット１０の組立手順としては、まず、架台１００、洗い場床２００、および浴槽３００に関する組立手順は、図３〜図７に関して前述した浴室ユニット１０の組立手順と同様である。続いて、図１３に表した矢印Ａ６のように、リム突部３１７およびシール剤漏出防止部６６０の外側面６６５に接合部材固定具６１０を固定する。このとき、接合部材固定具６１０の内側面６１０ａは、シール剤漏出防止部６６０の外側面６６５と密着する。続いて、接合部材６２０、壁パネル５００、および目地材の取り付け、ならびにシール剤６４７の塗布は、図３〜図７に関して前述した浴室ユニット１０の組立手順と同様である。
【００８２】
本具体例によれば、シール剤漏出防止部６６０が浴槽３００と一体形成されているため、図１２に関して前述したように、作業者がシール剤漏出防止部６６０の設置を忘れることを防止することができる。そして、施工ミスによる止水不良を防ぐことができ、浴室ユニット１０のコーナ部Ｃ１をより確実に止水することができる。
【００８３】
また、シール剤漏出防止部６６０は、シール剤溜め部６４２に塗布されたシール剤６４７を自身の上面６６０ａで受けることで、シール剤６４７がシール剤受け部６４１から下方へ漏れることを抑えることができる。さらに、壁パネル５００は、接合部材６２０により壁パネル載置面３１５に立設された状態では、シール剤漏出防止部６６０の側面６６０ｂ、６６０ｃに設けられたパッキン６４５と密着している。また、前述したように、接合部材固定具６１０の内側面６１０ａは、シール剤漏出防止部６６０の外側面６６５と密着している。そのため、短辺側壁パネル５００ａと、長辺側壁パネル５００ｂと、の接合位置に隙間５５１が形成される浴室ユニット１０のコーナ部Ｃ１をより確実に止水することができる。
【００８４】
図１４は、本実施形態のシール剤漏出防止部のさらに他の具体例を説明するための斜視模式図である。  
なお、図１４は、浴室ユニットのコーナ部Ｃ１を図３に表した矢印Ａ３の方向にみたときの斜視模式図に相当する。
【００８５】
図１４に表した具体例では、浴槽３００と、シール剤漏出防止部６７０と、接合部材固定具６１０と、が一体形成されている。言い換えれば、浴槽３００は、コーナ部から接合部材固定具６１０へ向けて延在するシール剤漏出防止部（コーナ突出部）６７０と、シール剤漏出防止部６７０に接続された接合部材固定具６１０と、を有する。
【００８６】
例えば、シール剤漏出防止部６７０は、浴槽３００のコーナ部に接続されている。また、接合部材固定具６１０の内側面６１０ａは、シール剤漏出防止部６７０の外側面６７５と密着している。
【００８７】
壁パネル載置面３１５には、パッキン６４５が設けられている。また、図１４に表したように、シール剤漏出防止部６７０の上面６７０ａと、壁パネル載置面３１５に接続されたシール剤漏出防止部６７０の側面６７０ｂ、６７０ｃと、においてパッキン６４５が設けられている。そのため、シール剤受け部６４１は、浴槽３００のコーナ部において途切れており、短辺側リム部３１０ａのリム外側面３１３に付設された部分と、長辺側リム部３１０ｂのリム外側面３１３に付設された部分と、に分割されている。
【００８８】
本具体例によれば、浴槽３００と、シール剤漏出防止部６７０と、接合部材固定具６１０と、が一体形成されているため、浴室ユニット１０の組立手順のさらなる簡略化を図ることができる。また、図１３に関して前述した効果と同様の効果を得ることができる。
【００８９】
以上説明したように、本実施形態によれば、浴室ユニット１０のコーナ部Ｃ１において、リム上面３１１と壁パネル載置面３１５との間にコーナピース６３０が設けられている。そのため、コーナピース６３０は、リム上面３１１と、壁パネル載置面３１５と、の段差を見かけ上低くすることができる。コーナピース６３０は、シール剤溜め部６４２に塗布されたシール剤６４７を自身の上面６３０ａで受けることで、シール剤６４７がシール剤受け部６４１から下方へ漏れることを抑えることができる。これにより、短辺側壁パネル５００ａと、長辺側壁パネル５００ｂと、の接合位置に隙間５５１が形成される浴室ユニット１０のコーナ部Ｃ１をより確実に止水することができる。
【００９０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、シール剤漏出防止部６３０、６５０、６６０、６７０、シール剤受け部６４１、接合部材固定具６１０、接合部材６２０、および壁パネル５００などが備える各要素の形状、寸法、材質、配置などやそれらの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９１】
１ 浴室ユニット、  １００ 架台、  １１０ 支持脚、  ２００ 洗い場床、  ３００ 浴槽、  ３１０ リム部、  ３１０ａ 短辺側リム部、  ３１０ｂ 長辺側リム部、  ３１１ リム上面、  ３１３ リム外側面、  ３１４ リム外縁部、  ３１５ 壁パネル載置面、  ３１７ リム突部、  ４００ エプロン、  ５００ 壁パネル、  ５００ａ 短辺側壁パネル、  ５００ｂ 長辺側壁パネル、  ５１０ 母材、  ５１１ 下端、  ５２０ 鋼板、  ５２１ 折り返し部、  ５２３ 下端部、  ５５１ 隙間、  ６１０ 接合部材固定具、  ６１０ａ 内側面、  ６２０ 接合部材、  ６２１ 折り返し部、  ６３０ コーナピース（シール剤漏出防止部）、  ６３０ａ 上面、  ６３１ パッキン、  ６３３ 基体、  ６３５ 第１の面、  ６３７ 第２の面、  ６３９ 壁パネル挿入部、  ６４１ シール剤受け部、  ６４２ シール剤溜め部、  ６４５ パッキン、  ６４７ シール剤、  ６５０ シール剤漏出防止部、  ６５０ａ 上面、  ６５１ パッキン、  ６５３ 基体、  ６５３ａ 突部、  ６５５ 接触面、  ６６０ シール剤漏出防止部、  ６６０ａ 上面、  ６６０ｂ、６６０ｃ 側面、  ６６５ 外側面、  ６７０ シール剤漏出防止部、  ６７０ａ 上面、  ６７０ｂ、６７０ｃ 側面、  ６７５ 外側面、  ６８０ シール剤漏出防止部、  ６９１、６９２、６９３ 締結部材
【図１】
0005500459.tif 000002
【図２】
0005500459.tif 000003
【図３】
0005500459.tif 000004
【図４】
0005500459.tif 000005
【図５】
0005500459.tif 000006
【図６】
0005500459.tif 000007
【図７】
0005500459.tif 000008
【図８】
0005500459.tif 000009
【図９】
0005500459.tif 000010
【図１０】
0005500459.tif 000011
【図１１】
0005500459.tif 000012
【図１２】
0005500459.tif 000013
【図１３】
0005500459.tif 000014
【図１４】
0005500459.tif 000015